(57)【要約】【課題】  リール脚を取付け、取り外す際に可動フードを往復移動させる場合にも、かつ、仕掛けを投入する為に竿を振り降ろし、かつ、仕掛けを巻き上げる為に竿を振り上げる操作を行っても、剥がれ難い装飾用筒状カバー体を備えた釣り竿を提供する。【解決手段】  リールシートのシートボデイの外周面に雄ネジ、可動フードを駆動するナット部材９の内周面に雌ネジ９Ｃを形成して、ナット部材９の回転により可動フードを螺進移動自在にシートボディ６に螺着し、ナット部材９外周面に装飾用筒状カバー体１０を装着し、装飾用筒状カバー体１０の内周面に周方向に沿った突条１０Ａを形成してある。【選択図】    図３
2014161234.tif 000002
【特許請求の範囲】
【請求項１】
可動フードを備えるリールシートとを元竿に装着している釣り竿であって、
前記リールシートのシートボデイ外周面に雄ネジ、前記可動フードを駆動するナット部材の内周面に雌ネジを形成して、前記ナット部材の回転により前記可動フードを螺進移動自在に前記シートボディに取付け、
前記ナット部材の外周面に装飾用筒状カバー体を装着し、前記装飾用筒状カバー体の内周面に突部を形成してある釣り竿。
【請求項２】
元竿の竿尻端に装着される取付部材の内周面に尻栓を螺着する雌ネジを形成するとともに、前記元竿の前記取付部材に外嵌される内周面に突部を形成してある請求項１記載の釣り竿。
【請求項３】
前記装飾用筒状カバー体を繊維強化樹脂で形成し、前記突部が、螺旋状を呈する突条である請求項１又は２記載の釣り竿。
【請求項４】
前記ナット部材の外周面は、凹凸のないストレート円弧面である請求項１又は２記載の釣り竿。
【発明の詳細な説明】
【技術分野】
【０００１】
本発明は、可動フードを備えるリールシートと尻栓とを元竿に装着している釣り竿に関する。
【背景技術】
【０００２】
可動フードとナット部材との関係は次のようなものである。詳述すると、ナット部材の内周面に形成されている雌ネジをリールシートのシートボディに形成した雄ネジに螺合させ、ナット部材を手指で摘まんで回転させることによって、ナット部材がシートボディに軸線方向に往復移動し、その移動に連動して可動フードが同方向に移動し、リール脚を保持する状態とリール脚から離れる状態とに切り換わる。
【０００３】
このナット部材には、ナット部材の外周面に装飾用筒状カバー体が外嵌固定してある。つまり、装飾用筒状カバー体について、上記した公報においては、「移動フード体１６の環状部以外の部位１６Ｇの表皮部に、コルク材等の柔軟部材や滑り止め部材を設けても良く、この場合、把持感が向上する」、記載されている。このような装飾用筒状カバー体の取付方法については、記載されてはいないが、次のようなものである。
つまり、装飾用筒状カバー体の内周面に接着剤を塗布し、その装飾用筒状カバー体を取り付けるナット部材の外周面に接着剤を塗布し、装飾用筒状カバー体をナット部材に外嵌して、接着固定していた（特許文献１）。
【先行技術文献】
【特許文献】
【０００４】
【特許文献１】特開２００４−２４８５４６号公報（図１、図８、段落番号〔００１２〕）
【発明の概要】
【発明が解決しようとする課題】
【０００５】
上記構成の場合に、装飾用筒状カバー体がナット部材から離れて空回りする、あるいは、公報の場合と違って装飾用筒状カバー体の一端側に受け止めるものがなければ剥がれ落ちるといった不都合があった。
【０００６】
これらの理由の一つは、ナット部材を手指で摘まんで回転操作する際に、装飾用筒状カバー体に強い回転力が作用するからである。特に、釣り人はより強くリール脚を締め付けようとする心理が働くところから、装飾用筒状カバー体に大きな力が作用しがちである。しかも、それだけに留まらず、ナット部材に対してはリールシートとリールとを手指や掌等で伴握りする際に、手指や掌が握り締めることになるとともに握り締めた状態で仕掛けの投入仕掛けの巻き上げ操作を行う為に、その度に、ナット部材、牽いては、装飾用筒状カバー体に回転操作力が掛り、一層、装飾用筒状カバー体がナット部材から離れやすくなっている。
【０００７】
しかも、上記したような操作上の理由だけでなく、製造工程上においては、装飾用筒状カバー体の内周面及びナット部材の外周面とに亘って接着剤を人為的に塗布して、接着剤によって装飾用筒状カバー体をナット体に外嵌装着することとしているが、人為的に接着剤を塗布する作業工程を採っているので、人的バラツキが発生しやすく、かつ、作業工程に迅速性を求められる等の要因によって、全面に亘って接着剤が塗布されてない場合もあり、その場合には、所期の十分な接着力が得られず、上記した不都合な場合が起こりうる。
【０００８】
本発明の目的は、リール脚を取付け、取り外す際に可動フードを往復移動させる場合にも、かつ、仕掛けを投入する為に竿を振り降ろし、かつ、仕掛けを巻き上げる為に竿を振り上げる操作を行っても、剥がれ難い装飾用筒状カバー体を備えた釣り竿を提供する点にある。
【課題を解決するための手段】
【０００９】
〔構成〕
請求項１に係る発明の特徴構成は、前記リールシートのシートボデイ外周面に雄ネジ、前記可動フードを駆動するナット部材の内周面に雌ネジを形成して、前記ナット部材の回転により前記可動フードを螺進移動自在に前記シートボディに取付け、
前記ナット部材の外周面に装飾用筒状カバー体を装着し、前記装飾用筒状カバー体の内周面に突部を形成してある点にあり、その作用効果は次の通りである。
【００１０】
〔作用〕
装飾用筒状カバー体の内周面に突部を形成した。この突部を形成することによって、装飾用筒状カバー体の内周面には、隣接する突部同士の間に位置する、前記ナット部材の外周面から離れた内周面と、ナット部材の外周面に近い突部自体の内周面とを形成できる。
【００１１】
これによって、突部同士の間に接着剤溜まりを形成することができ、ナット部材の外周面と前記接着剤溜まりに位置する接着剤が固まった場合に、突部自体が移動抵抗を付与する引っ掛かりとなり、このことが装飾用筒状カバー体とナット部材の固着力を大きなものにする。
作業形態としては、突部同士の間の接着剤溜まりに接着剤を確実に残すことが要求されるので、塗布ムラ等があっても、作業の確実性が向上する。
【００１２】
一方、ナット部材の外周面に対して装飾用筒状カバー体の突部の内周面を十分近接させて位置させることができるので、ナット部材の外周面に対して装飾用筒状カバー体の偏芯度合いを十分小さくすることができ、装飾用筒状カバー体の突部の内周面とナット部材の外周面との隙間の間隔を全周に亘って均一にでき、それだけ、接着度合いのバラツキを抑制できる。
【００１３】
〔効果〕
したがって、装飾用筒状カバー体の内周面に突部を形成するだけの改善によって、装飾用筒状カバー体の内周面への接着剤の塗布ムラ等が多少あっても、装飾用筒状カバー体の偏芯を回避し、突部内周面とナット部材外周面との接着剤を介して接着状態をより有効なものにして、可動フードの移動操作だけでなく竿の振り降ろし振り上げ操作によっても容易に隔離することのない装飾用カバー体を備えた釣り竿を提供できるに至った。
【００１４】
〔構成〕
請求項２に係る発明の特徴構成は、元竿の竿尻端に装着される取付部材の内周面に尻栓を螺着する雌ネジを形成するとともに、前記元竿の前記取付部材に外嵌される内周面に突部を形成してある点にあり、その作用効果は次の通りである。
【００１５】
〔作用効果〕
尻栓を取り付ける為に、元竿の竿尻端部の内周面に装着される取付部材にも、請求項１で記載した突部を形成することによって、尻栓の取付取外し操作を行っても、取付部材が元竿に対して緩みを生ずることが少なくなり、尻栓の装着状態を安定したものにできる釣り竿を提供できた。
【００１６】
〔構成〕
請求項３に係る発明の特徴構成は、前記装飾用筒状カバー体を繊維強化樹脂で形成し、前記突部が、螺旋状を呈する突条である点にあり、その作用効果は次の通りである。
【００１７】
〔作用効果〕
突条を螺旋状に形成することによって、装飾用筒状カバー体の全長に亘って突条を形成することができ、装飾用筒状カバー体が繊維強化樹脂製のものであっても、機械加工等を採用することなく、突条を形成できる。
【００１８】
〔構成〕
請求項４に係る発明の特徴構成は、前記ナット部材の外周面は、凹凸のないストレート円弧面である点にあり、その作用効果は次の通りである。
【００１９】
〔作用効果〕
前記ナット部材の外周面は、凹凸のないストレート円弧面であるので、装飾用筒状カバー体の内周面に形成した突条の内周面との間隔を、装飾用筒状カバー体の全長に亘って一定のものにでき、請求項１で記載したように、装飾用カバー体の偏芯を抑制できるとともに、装飾用筒状カバー体がナット部材の軸芯方向に位置ズレを生じても、突条の内周面との間隔は変化しないものとなる。
【図面の簡単な説明】
【００２０】
【図１】図１は、釣り竿の元竿を示す側面図である。
【図２】図２は、肘当て部を示す縦断背面図である。
【図３】図３（ａ）は、ナット部材に装飾用筒状カバー体を装着する前の状態を示す縦断側面図、図３（ｂ）は、ナット部材に装飾用筒状カバー体を装着した状態を示す縦断側面図である。
【図４】図４（ａ）は、マンドレルを示す斜視図、図４（ｂ）は、マンドレルに突条形成用テープを装着する状態を示す斜視図、図４（ｃ）は、マンドレルに突条形成用テープを装着し、プリプレグシートを巻回する前の状態を示す斜視図、図４（ｄ）は、マンドレルに突条形成用テープを装着し、プリプレグシートを巻回した状態を示す斜視図、図４（ｅ）は、突条形成用テープを取り外している状態を示す斜視図である。
【図５】図５は、尻栓を装着する前の状態を示す縦断側面図である。
【発明を実施するための形態】
【００２１】
〔第１実施形態〕
海上釣堀や海釣り等で使用される釣り竿Ａについて説明する。
図１、２に示すように、釣り竿Ａは、４本から５本継の振出式の竿であり、元竿１に、竿尻端側から、円弧形状の一面が直線状面２Ａに切断形成されている肘当て部２、リア―グリップ３、リアグリップ３の先側に配置されたリールシート４、リールシート４の先側に配置されているフロントグリップ５を備えて構成してある。
【００２２】
リールシート４は、元竿１の最内側に位置する竿本体（ブランクス）に外嵌装着されるシートボディ６と、シートボディ６の竿先側でフロントグリップ５の竿尻側に一体形成される固定フード７とシートボディ６の竿尻側に装着されている可動フード８とで構成してある。
【００２３】
図１に示すように、可動フード８は、リール脚（図示せず）を固定フードとともに収納支持する筒状のフード体であり、リール脚を収納保持するリール脚保持部８Ａを半径方向に突出させている。リール脚保持部８Ａから竿尻側に向けて筒状部８Ｂが延出されており、比較的長い筒状体に形成してある。図視してはいないが、シートボディ６におけるリール脚保持部８Ａの存在側とは軸線Ｘを挟んで反対側に係合溝が軸線Ｘに沿って形成してあり、可動フード８の内周面にこの係合溝に係合する係合突起が形成されている。
この係合溝と係合突起が互いに係合することによって、可動フード８は係合溝に沿ってスライド移動、かつ、円周方向へは回転しない状態で移動する。
【００２４】
図１及び図３に示すように、可動フード８の竿尻側にはナット部材９が装備されている。ナット部材９は筒状部材であり、内周面に雌ネジ９ｃが形成してある。一方、ナット部材９を外嵌しているシートボディ６の外周面には、雄ネジ６ｃが形成してある。
ナット部材９をシートボディ６の雄ネジ６ｃに螺合させ、ナット部材９を手指で摘まんで軸線Ｘ回りで回転させることによって、その軸線Ｘに沿って螺進移動させることができる。これによって、可動フード８を固定フード７に近付けてリール脚を保持する状態と、可動フード８を固定フード７から遠ざけることによってリール脚を取り外せる状態とに切り換えることができる。
【００２５】
ナット部材９の構成を詳述すると、図３に示すように、先側にフランジ部９Ａが形成してあり、フランジ部９Ａの竿尻側に一段小径に形成されている筒状胴部９Ｂが形成してある。筒状胴部９Ｂの外周面は凹凸のないストレート面に形成してある。ナット部材９としては、ナイロン、プリプロピレン、ＰＥＴ等の機能性樹脂が採用される。
フランジ部９Ａ内には、入口開口９ａに続いて凹側に環状係合溝９ｂが形成してある。環状係合溝９ｂの更に奥側で筒状胴部９Ｂの内側に雌ネジ９ｃが形成してあり、この雌ネジ９ｃをシートボディ６の雄ネジ６ｃに螺合させることによって、前記したように、ナット部材９を螺進移動させることができる。
【００２６】
前記したナット部材９の環状係合溝９ｂに対して、図示してはいなが、可動フード８より竿尻側に向けて、前記環状係合溝９ｂに係合する係合突部が延設してある。係合突部を環状係合溝９ｂに係合させた状態で、係合突部が環状係合溝９ｂに沿って相対移動できるように構成してあり、ナット部材９の回転によっても、可動フード８が回転しないようになっている。
つまり、ナット部材９を回転させると、可動フード８は回転しないが、ナット部材９とともに軸線Ｘに沿って往復移動が可能である。
【００２７】
図３（ｂ）に示すように、ナット部材９の筒状胴部９Ｂには、繊維強化樹脂製の装飾用筒状カバー体１０を装着してある。このように、装飾用筒状カバー体１０を装着することによって、装飾効果を高めるとともに、締め付け緩め操作されるだけでなく、仕掛けの投入、釣った魚を取り込む場合にも、回転操作力を受けるナット部材９の表面強度を維持する機能を発揮する。ナット部材９のフランジ部９Ａと装着された装飾用筒状カバー体１０の外周面は段差のない面一状態になっている。
【００２８】
装飾用筒状カバー体１０について説明する。図３（ａ）（ｂ）に示すように、装飾用筒状カバー体１０は、一定の厚みｔを有する筒状体であり、その内周面に円周方向に沿った突部としての螺旋状の突条１０Ａを形成してある。突条１０Ａの厚みＴは、カバー体１０の厚みｔと同等かやや厚いものに形成してある。突条１０Ａの幅ｗは隣接する突条１０Ａとの間隔Ｗより小に形成してある。
なお、このように突条１０Ａを形成してあるが、装飾用筒状カバー体１０の厚みｔは突条１０Ａの無い従来品と同様の厚みを呈している。その厚みＴだけ内側の内周面から更に、突条１０Ａが内向きに突出するものとなっている。
【００２９】
図３（ｂ）に示すように、装飾用筒状カバー体１０をナット部材９の筒状胴部９Ｂに外嵌装着すると、突条１０Ａが十分筒状胴部９Ｂの外周面に近接し、装飾用筒状カバー体１０と筒状胴部９Ｂとの間に施した接着剤が、突条１０Ａの先端と筒状胴部９Ｂの外周面との間に入り込んで、装飾用筒状カバー体１０と筒状胴部９Ｂとの接着状態を強固にする。
【００３０】
装飾用筒状カバー体１０及び突条１０Ａの製造方法について説明する。
ここでは、装飾用筒状カバー体１０を複数個同時に成形し、成形後各個に分割する製造方法を採用する。図４（ｃ）に示すように、炭素繊維等の強化繊維ｃを基準となる軸線Ｘに対して正方向に傾斜する強化繊維ｃ群と、負方向に傾斜する強化繊維ｃ群とを互いに交差する状態で編み込み、その編み込んだ強化繊維ｃ群にエポキシ樹脂等の熱硬化性樹脂（又は熱可塑性樹脂）を含浸させて、プリプレグシート１１を形成する。このプリプレグシート１１を図示するように略台形状に裁断する。
プリプレグシート１１の構成としては、強化繊維ｃの向きを軸線Ｘに対して平行な強化繊維ｃと軸線Ｘに対して直交する強化繊維ｃを織り込んだものであってもよい。
また、軸線Ｘに対して正方向に傾斜する強化繊維ｃ群を引き揃えたプリプレグシート１１と軸線Ｘに対して負方向に傾斜する強化繊維ｃ群を引き揃えたプリプレグシート１１とを重ね合わせた、所謂、バイアスタイプのプリプレグシート群を使用してもよい。
【００３１】
（１）図４（ａ）（ｂ）に示すように、マンドレル１２に前記した突条形成用テープ１３を螺旋状に略全長に亘って巻回する。突条形成用テープ１３は、ポリプロピレン製のテープであり、突条１０Ａ同士が隣接する間隔Ｗに相当する幅を有し、かつ、突条１０Ａの厚みＴと同じ厚みを有している。
マンドレル１２は、先側から元側に掛けて大径化する円錐台状に形成されているが、そのテーパ度合いは、略ストレートに近いもので、１／１０００ｍｍ以下に抑えることが望ましい。
（２）図４（ｃ）（ｄ）に示すように、螺旋状に巻回した突条形成用テープ１３の上から、裁断したプリプレグシート１１をマンドレル１２に巻回する。
（３）図示していないが、更にその上から、セロファンテープ（図視せず）で更に巻き締める。
（４）マンドレル１２に巻回した状態で炉に入れて焼成する。
（５）焼成後マンドレルを脱芯して円筒状の素材を取り出す。
（６）図４（ｅ）に示すように、円筒状の素材より突条形成用テープ１３を取り外す。そうすると、円筒状の素材の内周面に突条１０Ａが形成されている。
（７）図４（ｅ）に示すように、その竿素材を装飾用筒状カバー体１０の軸芯長Ｌで複数個に裁断し、仕上加工を施して装飾用筒状カバー体１０とする。
【００３２】
プリプレグを構成する強化繊維としては、具体的には、炭素繊維以外にガラス繊維、アラミド繊維、アルミナ繊維等が使用でき、樹脂としては、エポキシ樹脂の他に、フェノール樹脂、ポリエステル樹脂等の熱硬化性樹脂やＰＶ（Ｅ）等の熱可塑性樹脂が使用できる。また、プリプレグとしては、強化繊維を編み込んだ織り物に樹脂を含浸させて構成したものであってもよい。
【００３３】
〔第２実施形態〕
尻栓１４の取付構造について説明する。図５に示すように、元側に開口を有する有底筒状の取付部材１５の懐空間に雌ネジ１５Ａを形成するとともに開口端にフランジ１５Ｂを形成し、この取付部材１５を元竿１の竿尻端に内嵌してある。取付部材１５の内部空間に雄ネジ１４Ａを形成した尻栓１４を螺着してある。
【００３４】
図５に示すように、元竿１の竿尻端部における内周面に前記した突条１Ａが形成してある。取付部材１５の外周面は凹凸の無いストレート面である。
このように、元竿１の内周面における突条１Ａと取付部材１５の外周面とが接着剤を介して接着されることによって、尻栓１４を取付取外しても、取付部材１５と元竿１との接着状態を強固なものにできる。
【００３５】
〔別実施形態〕
（１）装飾用筒状カバー体１０に形成する突部１０Ａとしては、必ずしも突条でなくてもよく、円錐台状、或いは、円柱状の複数個の突起を内周面全体に形成したものでもよい。突起の作り方としては、突条形成用テープ１３に、多数の樹脂製の突起を膨出形成して使用することができる。突起を突条形成用テープ１３の長手方向に沿って形成し、この突条用形成用テープ１３を図４（ａ）に示すように巻回すれば、多数の突起が装飾用筒状カバー体１０の内周面に突起が形成される。
（２）装飾用筒状カバー体１０に形成する突条１０Ａとしては、必ずしも螺旋状に形成する必要はなく、円環状のものであってもよい。また、円周方向に沿ったものだけでなく、軸線方向に沿ったものであってもよい。
（３）装飾用筒状カバー体１０としては、プリプレグ製のものだけでなく、機械加工による粗面化処理を行う場合に代えて、上記のような突条１０Ａを形成する場合には、金属製のものであってもよい。
（４）装飾用筒状カバー体１０の内周面に突条１０Ａを形成することと同様の引っ掛かり効果を期待できるのであれば、ナット部材９の外周面に突条を形成してもよい。
（５）突条１０Ａの幅ｗは隣接する突条１０Ａとの間隔Ｗと同じか、大に形成してもよい。
【産業上の利用可能性】
【００３６】
本発明は、筒状の可動フードを備えた釣り竿に適用できる。
【符号の説明】
【００３７】
１          元竿
１Ａ        突条
４          リールシート
６          シートボディ
６ｃ        雄ネジ
８          可動フード
９          ナット部材
１０        装飾用筒状カバー体
１０Ａ      突条（突部）
１４        尻栓
１５        取付部材
１５Ａ      雌ネジ
【図１】
2014161234.tif 000003
【図２】
2014161234.tif 000004
【図３】
2014161234.tif 000005
【図４】
2014161234.tif 000006
【図５】
2014161234.tif 000007